(57)【要約】      （修正有）【課題】軽量セメント系建材への取付作業が容易であるとともに、軽量セメント系建材から脱落しにくい壁面建材落下防止部材を提供する。【解決手段】壁面建材落下防止部材を軽量セメント系建材２の製作時に該建材裏面上部に挿着し、セメントが硬化することで固着させる。壁面建材落下防止部材はネット形状、くの字の屈曲形状を介して、セメント系建材から抜けにくい構造となっている。柔らかく、安価に成形された壁面建材落下防止部材を、ビス挿通孔を介して壁面１１にビス、釘等９を螺じ込んで壁面１１に固定することにより、軽量セメント建材２が壁面に固定される。壁面に固着した軽量セメント建材２の弾性接着剤が剥離しても壁面建材落下防止部材が固定されていることによって落下を防ぐことが出来る。【選択図】図４
0003202114.tif 000002
【実用新案登録請求の範囲】
【請求項１】
躯体の壁面に取り付けられる壁面建材が前記壁面から落下することを防止するための部材であって、
ビス挿入孔を有し、ビスを介して前記壁面に当接固定される壁面固定部と、前記壁面固定部に対して屈曲しながら下方に延伸し、使用時において壁面建材の裏側に埋め込まれる埋め込み部とからなり、前記埋め込み部がネット形状であることを特徴とする壁面建材落下防止部材。
【請求項２】
躯体の壁面に取り付けられる壁面建材が前記壁面から落下することを防止するための部材であって、
ビス挿入孔を有し、ビスを介して前記壁面に当接固定される壁面固定部と、前記壁面固定部に対して屈曲しながら下方に延伸し、使用時において壁面建材の裏側に埋め込まれる埋め込み部とからなり、前記埋め込み部が、多数の孔が形成された板状体であることを特徴とする壁面建材落下防止部材。
【請求項３】
前記埋め込み部材の一部が屈曲していることを特徴とする請求項１または請求項２記載の壁面建材落下防止部材。
【請求項４】
前記壁面固定部および前記埋め込み部の外周部と前記ビス挿入孔の外周部は、他の部分よりも肉厚に形成されていることを特徴とする請求項１〜３のいずれかに記載の壁面建材落下防止部材。
【考案の詳細な説明】
【技術分野】
【０００１】  本考案は、軽量セメント材などの硬化材料による壁面建材が壁面からの落下を防止するための部材に関する。
【背景技術】
【０００２】  タイルや石材などの壁面建材を躯体壁面にモルタルや接着剤で張り付ける場合、落下防止金具を壁面建材に取り付け、万が一接着剤が剥離しても壁面建材が躯体壁面から落下しないように構成されている。（特許文献１参照）
【先行技術文献】
【特許文献】
【０００３】
【特許文献１】特開２００５−１３９６６９  号公報
【考案の概要】
【考案が解決しようとする課題】
【０００４】  しかし、ブリックのような軽量セメント系建材で上記の落下防止金具を使用した場合、運搬時、施工時に金具による軽量セメント本体へのキズの恐れ、後工程での取付加工の手間やコストが掛かるといった問題があった。【０００５】  上記特許文献１記載の落下防止金具による従来の石やタイルなどの壁面建材の落下防止構造は、壁面建材に溝を空け、溝に金具を取り付ける構造であるため、壁面建材製作の後工程で本体に金具を取付ける加工が必要となり手間がかかる。【０００６】  また、上記落下防止金具を使用した場合、壁面建材本体の製作後の後付加工品のため、壁面建材本体から外れる恐れがある。【０００７】  さらに上記落下防止金物は金属製のため、施工時に壁面建材にキズがつきやすく、コストもかかる。【０００８】  そこで本考案は、安価で本体への取付が簡単な、硬化材製壁面建材用壁面建材落下防止部材を提供することを課題とする。
【課題を解決するための手段】
【０００９】  本考案の壁面建材落下防止部材は、躯体の壁面に取り付けられる壁面建材が前記壁面から落下することを防止するための部材であって、ビス挿入孔を有し、ビスを介して前記壁面に当接固定される壁面固定部と、前記壁面固定部に対して屈曲しながら下方に延伸し、使用時において壁面建材の裏側に埋め込まれる埋め込み部とからなり、前記埋め込み部がネット形状であることを特徴とする。【００１０】  本考案の壁面建材落下防止部材は、躯体の壁面に取り付けられる壁面建材が前記壁面から落下することを防止するための部材であって、ビス挿入孔を有し、ビスを介して前記壁面に当接固定される壁面固定部と、前記壁面固定部に対して屈曲しながら下方に延伸し、使用時において壁面建材の裏側に埋め込まれる埋め込み部とからなり、前記埋め込み部が、多数の孔が形成された板状体であることを特徴とする。【００１１】  本考案の壁面建材落下防止部材は、前記埋め込み部材の一部が屈曲していることを特徴とする。【００１２】  本考案の壁面建材落下防止部材は、前記壁面固定部および前記埋め込み部の外周部と前記ビス挿入孔の外周部は、他の部分よりも肉厚に形成されていることを特徴とする。
【考案の効果】
【００１３】  本考案の壁面建材落下防止部材を軽量セメント系壁面建材製作時に挿入した状態で、軽量セメントを硬化させる。壁面建材落下防止部材のネット部分がセメントが挿通した状態で硬化されたことによって、軽量セメント建材と壁面建材落下防止部材とは密着し、抜けにくくなる。【００１４】  本考案の壁面建材落下防止部材埋め込み部は、くの字型に屈曲しており、軽量セメントが硬化後、くの字部分が引掛り、壁面建材落下防止部材は抜けにくくなる。【００１５】  本考案の軽量セメント系建材壁面建材落下防止部材は、樹脂で成形されているため、運搬、施工の際に軽量セメント系建材本体にキズがつきにくい。【００１６】  本考案の壁面建材落下防止部材は、射出成形で成形され、安価に製作することが出来る。【００１７】  本考案の壁面建材落下防止部材は、ビスや釘などで簡単に固定でき、接着剤と合わせて使用することで、二重に壁面からの落下を防止できる効果がある。
【図面の簡単な説明】
【図１】本考案の第１実施形態に係る壁面建材落下防止部材１の斜視図である。
【図２】軽量セメント系建材２に壁面建材落下防止部材１が挿着された状態の断面図である。
【図３】軽量セメント系建材２に壁面建材落下防止部材１が挿着された構成の斜視図である。
【図４】本考案の壁面建材落下防止部材１を備えた軽量セメント系建材２が壁面１１に固着した実施形態を斜視図で示したものである。
【図５】本考案の壁面建材落下防止部材１を備えた軽量セメント系建材２が壁面１１に固着した実施形態を断面図で示したものである。
【図６】本考案の第２実施形態に係る壁面建材落下防止部材１２の斜視図である。
【考案を実施するための形態】
【００１８】〈第１実施形態〉
図面を参照して本考案の説明をする。図１は本考案の壁面建材落下防止部材１の斜視図である。全体がネット形状となっており、外部に露出している壁面固定部５とこの固定部に対して、軽量セメント建材に埋め込むために屈曲している埋め込み部４で構成されている。
【００１９】  梱包時に折り曲げたり、施工時に工具などに接触した際に切断しにくいように壁面建材落下防止部材１の外周部であるフチ７は内部ネット部３より肉厚に成形されている。
【００２０】  図２は本考案の実施の形態に係る壁面建材落下防止部材１が軽量セメント系壁面建材２に挿着された状態の断面図である。軽量セメント建材２と壁面固定部５が平行になった時、埋め込み部４はセメント内部に埋め込まれている。埋め込み部４内のネット部３を硬化材である軽量セメントが挿通した状態で硬化したことで壁面建材落下防止部材１と固着し、抜けにくい構造となっている。
【００２１】  この壁面建材落下防止部材１は樹脂で射出成形することで安価に製作されたものである。また、樹脂であるため柔らかく、軽量セメント系建材本体にキズがつきにくい。
【００２２】  図３は軽量セメント系建材２本体に壁面建材落下防止部材１が挿着された時の斜視図である。壁面と該建材を接着している弾性接着剤８が剥離し、落下する力が働いても、該建材から抜けにくいように、埋め込み部４下端の屈折部６がくの字の形状となっている。図では埋め込み部４も図示してあるが、実際は軽量セメント建材２内に埋め込まれているため視認できない。
【００２３】    図４は、本考案である壁面建材落下防止部材１を備えた軽量セメント系建材２をビス挿通孔１０を介してビス、釘等９で打ち付けることで、壁面１１に固着された状態の斜視図である。図では埋め込み部４も図示してあるが、実際は軽量セメント建材２内に埋め込まれているため視認できない。
【００２４】    壁面建材落下防止部材１を備えて本考案を実施する場合、図４の斜視図のように２ヶ所以上、挿着するのが望ましい。
【００２５】    図５は壁面１１に軽量セメント系建材２を壁面建材落下防止部材１を介して固着した際の実施時の断面図である。施工時、軽量セメント系建材２は壁面１１に、弾性接着剤８を用いて接着される。接着後、壁面建材落下防止部材１のビス挿通孔を介してビス、釘等９を打ち付けることで二重に該建材は壁面１１に固定される。万が一、弾性接着剤８が外れた場合でも壁面建材落下防止部材が壁面１１に固着していることによって、落下を防ぐことが出来る。
【００２６】  弾性接着剤８の厚み内に釘等、各種金具９の頭部突出部が収まるため、壁面１１と軽量セメント建材２は平行に安定して取り付けられる。
【００２７】〈第２実施形態〉
本実施形態は〈第１実施形態〉の壁面建材落下防止部材１のネット形状に変えて多数の穴（パンチング形状）で成形されており、その他は〈第１実施形態〉と同様である。
【符号の説明】
【００２８】    １  壁面建材落下防止部材〈第１実施形態〉
２  軽量セメント系建材
３  ネット部
４  埋め込み部
５  壁面固定部
６  屈折部
７  フチ
８  弾性接着剤
９  ビス、釘等
１０  ビス挿通孔
１１  壁面
１２  壁面建材落下防止部材〈第２実施形態〉
【図１】
0003202114.tif 000003
【図２】
0003202114.tif 000004
【図３】
0003202114.tif 000005
【図４】
0003202114.tif 000006
【図５】
0003202114.tif 000007
【図６】
0003202114.tif 000008